(57)【特許請求の範囲】
【請求項１】
表示部での表示機能を有したシート状のフレキシブルな表示媒体である電子ペーパと当該電子ペーパを複数枚装着することができる本体とからなる電子ペーパファイルであって、
上記電子ペーパ上に表示がされる表示用データを記憶する記憶手段と、
上記表示用データにおける所望のページについての指定を受けるページ指定手段と、
上記表示用データを上記記憶手段から取得して、その表示用データに基づく表示を上記電子ペーパの面上に行う表示制御手段と、
を備え、
さらに、物理的な接続機能と電気的な接続機能とを併せもった一対の接続端子の一方を上記電子ペーパが備えたとともに、その接続端子の他方を具備した接続部材を複数配列接続させて成る接続体を上記本体が所定位置に固定させて備えたことによって、各電子ペーパが上記本体に対し着脱可能とされ、
また、さらに、上記他方の側の接続端子における上記電子ペーパの着脱状況を検知する着脱検知手段を備えて、上記表示制御手段が、上記ページ指定手段にて指定を受けた所望のページ及びそれに連続した別のページについての表示用データを上記記憶手段から取得して、その表示用データに基づく表示を一の上記電子ペーパ上及びそれに続くものとして上記着脱検知手段にて装着が検知された別の電子ペーパ上に行うことを特徴とする電子ペーパファイル。
【請求項２】
上記本体に装着されている電子ペーパの数を装着ページ数として認識するページ数認識手段をさらに備えた請求項１に記載の電子ペーパファイル。
【請求項３】
上記一対の接続端子は、その一方を上記電子ペーパが当該端部に備えたとともに、その接続端子の他方を具備した上記接続部材である可動軸片をそれが回転自在になるように軸方向に複数接続させて成る上記接続体を上記本体が備えたことを特徴とする請求項１に記載の電子ペーパファイル。
【請求項４】
上記他方の側の接続端子の回転位置を検知する位置検知手段をさらに備えた請求項３に記載の電子ペーパファイル。
【請求項５】
上記着脱検知手段は、一対となった上記接続端子の接続順序を識別するための番号である接続順序識別番号を、上記電子ペーパの着脱状況又は上記位置検知手段にて検知された上記他方の側の接続端子の回転位置の少なくとも１つに基づいて各接続端子に付与することを特徴とする請求項１又は４に記載の電子ペーパファイル。
【請求項６】
上記表示制御手段は、上記着脱検知手段が付与した接続順序識別番号に基づいて上記表示用データの表示処理を行うことを特徴とする請求項５に記載の電子ペーパファイル。
【請求項７】
上記ページ指定手段は、上記表示用データにおけるページを所望ページ分前進させまたは後退させるための指示を受ける改ページ手段をさらに備えたことを特徴とする請求項１に記載の電子ペーパファイル。
【請求項８】
上記着脱検知手段を、上記他方の側の接続端子に上記電子ペーパの側の接続端子が接続されたとき、当該電子ペーパファイルの電源が投入されたとき、上記電子ペーパ上の表示をリセットしたとき、又は上記改ページ手段が起動したときに、起動することを特徴とする請求項１または７に記載の電子ペーパファイル。
【請求項９】
一対の上記接続端子は、その一方の接続端子が上記電子ペーパにその端部に平行に配設された平行リードからなり、
また、その他方の接続端子が、該電子ペーパをその表裏両面から挟み込む挟み板と、この挟み板の内に設けた導出リードとからなることを特徴とする請求項１に記載の電子ペーパファイル。
【請求項１０】
上記ページ指定手段にて指定された所望のページについての上記表示用データに基づく表示を、複数枚の上記電子ペーパのいずれに表示させるかの選択を受ける表示選択手段をさらに備えた請求項１に記載の電子ペーパファイル。
【請求項１１】
上記電子ペーパは、その所定位置に上記ページ指定手段を備えたことを特徴とする請求項１に記載の電子ペーパファイル。
【請求項１２】
上記ページ指定手段は、上記表示部の端部に備えられたことを特徴とする請求項１に記載の電子ペーパファイル。
【請求項１３】
上記ページ指定手段は、上記ページ指定手段にて指定された所望のページについての上記表示用データに基づく表示がされる面とは異なる面上に備えられたことを特徴とする請求項１に記載の電子ペーパファイル。
【請求項１４】
上記ページ指定手段によって指定されたページを示す番号を表示するページ表示手段をさらに備えた請求項１に記載の電子ペーパファイル。
【請求項１５】
上記ページ表示手段は、上記電子ペーパ上の所定位置に備えられたことを特徴とする請求項１４に記載の電子ペーパファイル。
【請求項１６】
上記ページ指定手段は、上記本体に対して遠隔操作が可能なものであることを特徴とする請求項１に記載の電子ペーパファイル。
【請求項１７】
上記ページ指定手段は、上記電子ペーパに対して遠隔操作が可能なものであることを特徴とする請求項１に記載の電子ペーパファイル。
【請求項１８】
上記ページ指定手段は、上記表示部に表示されるソフトキーボードが用いられることによって所望のページについての指定を受けることを特徴とする請求項１に記載の電子ペーパファイル。
【請求項１９】
上記表示部は、デジタイザ機能を備えたことを特徴とする請求項１に記載の電子ペーパファイル。
【請求項２０】
上記記憶手段は、少なくとも上記電子ペーパが備えたことを特徴とする請求項１に記載の電子ペーパファイル。
【請求項２１】
上記電子ペーパが、上記表示用データを所定の記録媒体から取得して、上記記憶手段へ入力する信号授受手段をさらに備えた請求項２０に記載の電子ペーパファイル。
【請求項２２】
上記本体が、当該本体から所定の域内にある電子ペーパを検知する電子ペーパ検知手段をさらに備えた請求項３に記載の電子ペーパファイル。
【請求項２３】
上記記憶手段は、一の電子ペーパを特定できる識別番号を記憶することを特徴とする請求項２０に記載の電子ペーパファイル。
【請求項２４】
上記表示用データの所定ページの転送先を特定できる電子ペーパ番号を、一の電子ペーパを特定できる識別番号に基づいて、上記電子ペーパに付与する番号付与手段をさらに備えた請求項２２に記載の電子ペーパファイル。
【請求項２５】
上記表示制御手段は、上記本体が備えたことを特徴とする請求項１に記載の電子ペーパファイル。
【請求項２６】
上記表示制御手段は、上記電子ペーパが備えたことを特徴とする請求項１に記載の電子ペーパファイル。
【請求項２７】
上記記憶手段を上記本体及び上記電子ペーパが備えた電子ペーパファイルであって、
上記本体及び上記電子ペーパにそれぞれ設けられた信号授受手段を介すことによって、上記本体に備えられた第一の記憶手段に記憶されている上記表示用データ、上記電子ペーパに備えられた第二の記憶手段に記憶されている上記表示用データを、上記本体と上記電子ペーパとが相互に送受信することを特徴とする請求項１に記載の電子ペーパファイル。
【請求項２８】
上記信号授受手段は、インターネットにて上記表示用データを受信することを特徴とする請求項２７に記載の電子ペーパファイル。
【請求項２９】
上記電子ペーパの表示面における所望の位置又は領域についての指定を受ける位置指定手段と、
上記記憶手段が記憶する上記表示用データのうち、所望の上記ページにつき上記位置指定手段によって指定された所望の上記位置又は領域に対応したデータを、編集して更新する編集手段と、  をさらに備えたことを特徴とする請求項１に記載の電子ペーパファイル。
【請求項３０】
上記記憶手段は、文字データ及び画像データで構成された上記表示用データについて、その文字データ及び画像データをそれぞれ独立した編集が可能に管理して記憶することを特徴とする請求項２９に記載の電子ペーパファイル。
【請求項３１】
上記編集手段は、上記表示用データにおいて、上記位置指定手段によって指定された所望の上記位置又は領域に対応したデータを削除したとき、その削除したデータが占めていた部分に、その削除したデータの後に続いていたデータを移動することを特徴とする請求項２９に記載の電子ペーパファイル。
【請求項３２】
上記編集手段は、上記表示用データにおいて、上記位置指定手段によって指定された所望の上記位置又は領域に対応したデータを削除したとき、その削除したデータが占めていた部分を、空白を表わすデータで維持することを特徴とする請求項２９に記載の電子ペーパファイル。
【請求項３３】
上記編集手段は、上記表示用データにおいて、上記位置指定手段によって指定された所望の上記位置又は領域に対応したデータを他の位置又は領域に対応した部分へ移動したとき、その移動の対象となったデータが占めていた部分に、その移動の対象となったデータの後に続いていたデータを移動することを特徴とする請求項２９に記載の電子ペーパファイル。
【請求項３４】
上記編集が、上記指定した領域に対応する表示用データの移動であるとともに、
上記編集手段は、上記表示用データにおいて、上記位置指定手段によって指定された所望の上記位置又は領域に対応したデータを他の位置又は領域に対応した部分へ移動したとき、その移動の対象となったデータが占めていた部分を、空白を表わすデータで維持することを特徴とする請求項２９に記載の電子ペーパファイル。
【発明の詳細な説明】
【０００１】
【発明の属する技術分野】
本発明は、フレキシブルな表示媒体である電子ペーパを複数まとめてノート状にした電子ペーパファイルに関する。
【０００２】
【従来の技術】
情報化社会の発展に伴い、ＣＲＴ（CathodeRayTube）やＬＣＤ（liquidcrystaldisplay）等の表示媒体の性能も急速に向上している。しかしながら、これら表示媒体は、読みやすさ・使いやすさの点でいえば、古くから情報媒体として使用されている“紙”に優るものとはなっていない。そこで、フレキシブルな表示媒体として“電子ペーパ”という新しい概念が提案されるようになり、この電子ペーパの実現技術として様々な方式が検討されてきた（日本画像学会発行「JapanHardcopy'99  論文集」P209〜P251参照）。
【０００３】
更に、近年では、複数の電子ペーパを複数まとめてノート状にした電子ペーパファイルも提案されている（特表平１１−５０２９５０号公報等）。このような電子ペーパファイルによれば、多数の電子ペーパを管理するのが容易になるだけでなく、電子ペーパを更に読みやすく使いやすい表示媒体として活用することができる。
【０００４】
【発明が解決しようとする課題】
しかしながら、従来の電子ペーパファイルによると、百科辞典データや論文集データのように膨大なサイズのデータの全部を電子ペーパに表示しきれない場合があった。もっとも、この問題は、膨大なページ数の電子ペーパを電子ペーパファイルに装着しておけば解決するが、このような電子ペーパファイルは、持ち運びが不便であるだけでなく操作性も悪い。
【０００５】
また、従来の電子ペーパファイルによると、電子ペーパに表示されている内容を簡便な操作で編集することができない。すなわち、電子ペーパに表示されている内容も、例えば紙製のノートに文字や図柄を書き込むという慣れ親しんだ感覚で編集できるようにするのが望ましいが、このような編集技術は未だ確立されていないのが現状である。
【０００６】
本発明は、上記従来の事情に基づいて提案されたものであって、操作性に優れた電子ペーパファイルを提供することを目的とする。
【０００７】
【課題を解決するための手段】
本発明は、上記目的を達成するために以下の手段を採用している。
【０００８】
まず、本発明は、表示部での表示機能を有したシート状のフレキシブルな表示媒体である電子ペーパと当該電子ペーパを複数枚装着することができる本体とからなる電子ペーパファイルを前提としている。
【０００９】
ここで、記憶手段は、上記電子ペーパ上に表示がされる表示用データを記憶する。また、ページ指定手段は、上記表示用データにおける所望のページについての指定を受ける。また、表示制御手段は、上記表示用データを上記記憶手段から取得して、その表示用データに基づく表示を上記電子ペーパの面上に行う。さらに、物理的な接続機能と電気的な接続機能とを併せもった一対の接続端子の一方を上記電子ペーパが備えたとともに、その接続端子の他方を具備した接続部材を複数配列接続させて成る接続体を上記本体が所定位置に固定させて備えたことによって、各電子ペーパが上記本体に対し着脱可能とされ、また、さらに、上記他方の側の接続端子における上記電子ペーパの着脱状況を検知する着脱検知手段を備えて、上記表示制御手段が、上記ページ指定手段にて指定を受けた所望のページ及びそれに連続した別のページについての表示用データを上記記憶手段から取得して、その表示用データに基づく表示を一の上記電子ペーパに及びそれに続くものとして上記着脱検知手段にて装着が検知された別の電子ペーパ上に行う。
【００１０】
このようにすれば、膨大なページ数の電子ペーパを電子ペーパファイルに装着しておかなくても、百科辞典データや論文集データのように膨大なサイズのデータの全部を電子ペーパに表示することが可能となるため、電子ペーパファイルの操作性が向上する。
【００１１】
また、電子ペーパに表示されている内容を簡便な操作で編集するために、以下の手段をさらに採用してもよい。
【００１２】
すなわち、位置指定手段は、上記電子ペーパの表示面における所望の位置又は領域についての指定を受ける。また、編集手段は、上記記憶手段が記憶する上記表示用データのうち、所望の上記ページにつき上記位置指定手段によって指定された所望の上記位置又は領域に対応したデータを、編集して更新する。
【００１３】
このようにすれば、所定の（電子ペーパの）ページを編集すると、この編集に関連する他のページも自動的に更新されることになる。
【００１４】
【発明の実施の形態】
以下、図面に従って本発明の実施の形態を説明する。尚、以下の実施の形態は本発明を具体化した一例であって、本発明の技術的範囲を限定する性格のものではない。
【００１５】
まず、本発明の電子ペーパファイル１００は、図１に示すように、フレキシブルな表示用媒体である電子ペーパ１０１と、この電子ペーパ１０１を複数ページ装着可能な本体１０２とからなる。
【００１６】
そして、上記本体１０２の背板１０３の所定位置には、電子ペーパに表示するデータ（以下「表示用データ」という）をＣＤ−ＲＯＭやフラッシュメモリ等の記録媒体から取得する本体信号授受手段１０４と、このように取得した表示用データを記憶する第一の記憶手段１０５とが配設されている。
【００１７】
すなわち、上記本体信号授受手段１０４と記録媒体とを接続すると、この記憶媒体に記録されている表示用データが上記第一の記憶手段１０５に入力されて記憶されるようになっている。なお、この第一の記憶手段１０５としては、上記本体１０２に内蔵されるＩＣメモリや、ＩＣカードのような記憶媒体などを採用することができる。
【００１８】
ここで、ユーザは、図２に示すページ指定手段１０８に配設されたボタンを用いることによって、上記第一の記憶手段１０５に記憶された表示用データの所望のページ番号を指定する。これによって、このように指定されたページ番号がページ表示手段１０７に表示されると、ユーザは、正しくページ番号が指定できているかどうかを確認する。そして、正しくページ番号が指定できていることを確認したユーザが、上記ページ指定手段１０８に配設された転送ボタン３１０を押すと、上記のように指定したページ番号が、背板１０３に備えられた第一の表示制御手段１０６に転送されるようになっている。
【００１９】
これによって、第一の表示制御手段１０６は、上記のように指定されたページ番号に基づいて上記第一の記憶手段１０５から表示用データを取得する。もっとも、このように取得した表示用データの形式はＡＳＣＩＩ形式やＢｉｎａｒｙ形式など様々な形式であるため、第一の表示制御手段１０６は、この表示用データの形式を電子ペーパ１０１の表示部１２１の表示形式であるドット形式に変換して表示用ドライバ１２２に転送するようになっている。
【００２０】
尚、電子ペーパファイルの電源を投入したとき、上記第一の表示制御手段１０６が後述する電子ペーパの発光シートを自動的に発光させるようにしておくのが好ましい。
【００２１】
ところで、上記本体１０２と上記電子ペーパ１０１とは、一対の接続端子（例えば、雌雄一対の接続端子）をそれぞれに備え、物理的・電気的に接続可能となっている。もちろん、物理的に接続されていなくとも電気的に接続されていれば、表示用データに対応する文字等を上記表示部１２１に表示することが可能である。なお、電気的に接続する方法としては、上記本体１０２と上記電子ペーパ１０１の両方に無線通信機能（例えばＩＲＤＡやＢｌｕｅｔｏｏｔｈ等に沿った通信機能）を備える方法がある。
【００２２】
また、本発明にかかる電子ペーパ１０１は、本体１０２から取り外すことが可能である。そこで、電子ペーパ１０１が装着されている接続端子２１にのみ表示用データを転送するために、以下に説明する着脱検知手段３０を上記本体１０２に設けるようにしてもよい。
【００２３】
すなわち、図１０（ａ）に示すように、本体１０２側の接続端子２１は、当該本体１０２の所定位置に固定された状態で配列されている。また、第一の記憶手段１０５には、本体１０２側の各接続端子２１を識別するための番号（以下「接続端子識別番号」という）が、その配列順序とともに記憶されている。
【００２４】
上記接続端子識別番号の決め方は特に限定されるものではないが、電子ペーパファイルの表紙３１から離れるに従って大きな番号とするのが好ましい。すなわち、ここでは図１０（ｂ）に示すように、表紙３１に最も近い位置にある接続端子２１の接続端子識別番号を“１”、表紙３１に２番目に近い位置にある接続端子２１の接続端子識別番号を“２”、表紙３１に３番目に近い位置にある接続端子２１の接続端子識別番号を“３”、表紙３１に４番目に近い位置にある接続端子２１の接続端子識別番号を“４”としている。
【００２５】
そこで、上記着脱検知手段３０は、電子ペーパ１０１が装着されている接続端子２１を検知（後述する）すると、このように検知した接続端子２１の接続端子識別番号を第一の記憶手段１０５から取得する（図１１、Ｓ１１１）。例えば、接続端子識別番号が“１”の接続端子２１と接続端子識別番号が“３”の接続端子２１とに電子ペーパ１０１が装着されている場合、上記着脱検知手段３０は、この接続端子識別番号“１”及び“３”を第一の記憶手段１０５から取得する
ことになる。
【００２６】
そして、上記着脱検知手段３０は、このように取得した接続端子識別番号“１”及び“３”の接続端子２１について、その接続順序を識別するための番号（以下「接続順序識別番号」という）を付与する（図１１、Ｓ１１２）。すなわち、ここでは、表紙３１に最も近い位置にある接続端子２１（つまり、接続端子識別番号“１”の接続端子２１）と、表紙３１に３番目に近い位置にある接続端子２１（つまり、接続端子識別番号“３”の接続端子２１）とに電子ペーパが装着されている。したがって、上記着脱検知手段３０は、装着されている電子ペーパ１０１が表紙３１に最も近いことを意味する接続順序識別番号“Ｃ１”を接続端子識別番号“１”の接続端子２１に付与する（後述する）とともに、装着されている電子ペーパ１０１が表紙３１に２番目に近いことを意味する接続順序識別番号“Ｃ２”を接続端子識別番号“３”の接続端子２１に付与することになる。
【００２７】
さらに、上記着脱検知手段３０は、上記のように接続順序識別番号“Ｃ１”及び“Ｃ２”を付与した旨を第一の記憶手段１０５に記憶しておくとともに（図１１、Ｓ１１３）、これら接続順序識別番号“Ｃ１”及び“Ｃ２”を上記第一の表示制御手段１０６に通知しておく。これによって、この通知を受けた第一の表示制御手段１０６は、これら接続端子識別番号“１”及び“３”の接続端子２１に表示用データを転送する。このようにすれば、電子ペーパが接続されていない接続端子２１へ表示用データを送信すること（表示漏れ）なく、表紙に近い電子ペーパから順に表示用データを表示することができる（図１１、Ｓ１１４）。
【００２８】
なお、上記の説明では「接続順序識別番号を接続端子２１に付与する」と表現しているが、このように接続順序識別番号を付与する具体的方法は特に限定されるものではない。例えば、第一の記憶手段１０５に記憶されている接続端子識別番号“１”〜“４”のうち、電子ペーパ１０１が装着されている接続端子２１の接続端子識別番号“１”及び“３”についてのみ、その対応する記憶領域にフラグを立てることで、上記接続順序識別番号“Ｃ１”を接続端子識別番号“１”の接続端子２１に付与するとともに、上記接続順序識別番号“Ｃ２”を接続端子識別番号“３”の接続端子２１に付与したこととみなしてもよい。
【００２９】
以下、電子ペーパ１０１が装着されている接続端子２１を上記着脱検知手段３０が検知する技術について説明する。
【００３０】
まず、図１２に示すように、上記本体１０２に着脱検知手段３０を設け、この着脱検知手段３０から２つの“１”信号を各接続端子２１に出力する。このとき、電子ペーパ１０１が接続端子２１に装着されていると、当該２つの“１”信号は、電子ペーパ側にある接続端子１３を介して、電子ペーパの表示駆動部１２にあるアンドゲート３３に入力される。そして、このアンドゲート３３から“１”信号を上記接続端子１３と上記接続端子２１とを介して上記着脱検知手段３０に返すようにする。このようにすれば、着脱検知手段３０は、電気信号の出力先の接続端子２１に電子ペーパ１０１が接続されていることを検知することができる。
【００３１】
また、図１３に示すように、本体１０２の背板１０３の内面に押しボタン３４を設けた構成としても、上記と同様の効果を得ることができる。すなわち、所定の接続端子２１に電子ペーパ１０１が装着されると同時に、当該電子ペーパ１０１によって押しボタン３４が押下されるようにしておく。このようにすれば、着脱検知手段３０は、この押しボタン３４が押下されたことによって、所定の接続端子２１に電子ペーパ１０１が装着されたことを検知することができる。
【００３２】
あるいは、図１４に示すように、接続端子２１の突出方向に光を発するフォトカプラ３５を本体１０２に設け、この光の反射光量をもとに、着脱検知手段３０が電子ペーパ１０１の脱着を検知する構成としてもよい。すなわち、接続端子２１に電子ペーパ１０１が装着されていると、フォトカプラ３５から発せられた光は、電子ペーパ１０１によって反射される。従って、上記着脱検知手段３０は、フォトカプラ３５が一定の反射光量を受け取ったことを認識すると、当該接続端子２１に電子ペーパ１０１が装着されていることを検知するようになっている。
【００３３】
以上では、本体側の接続端子２１が上記背板１０３に固定されている構造について述べたが、この接続端子２１は、以下に説明するように回転できると便利である。
【００３４】
すなわち、図１５に示すように、所定長さの円筒形の可動軸片５０の上下端部に、他の可動軸片５０の上下端部と相互に回転自在に接続可能な差込部５０ａ・５０ｂを設ける。この可動軸片５０の内周面には、図１６（ｂ）に示すように、周方向に次第に幅が広くなる反射部５３が描かれており、また、この可動軸片５０の外周の軸方向には、本体側の接続端子２１が配設されている。そして、このように構成された可動軸片５０を相互につなぎ合わせると接続体５２が形成されることになる。
【００３５】
一方、図１７に示すように、フォトカプラ５４は、上記反射部５３と対向するように、上記可動軸片５０内の素子固定軸５５に固定されている。また、この素子固定軸５５は、上記接続体５２に挿入された状態で軸端片５６に固定されている。さらに、この軸端片５６は、上記接続体５２の上下端と回転自在に固定されており、また、上記背板１０３の内面に固定されている。なお、軸端片５６を背板１０３の内面に固定する手段および素子固定軸５５の両端を軸端片５６の両端に固定する手段は、本発明の本質ではないので、ここでは詳しい説明を省略する。
【００３６】
さて、上記のように接続体５２が背板１０３に取り付けられた状態では、各フォトカプラ５４は同じ方向に光を出射する。また、この状態で、各可動片５０に取り付けられた接続端子２１の向きを揃えると、各接続端子の内面に描かれた反射部５３も、その内周に沿った軸方向に同じ幅を示すことになる。これによって、上記各可動軸片５０の回転角（即ち、各電子ペーパ１０１の回転角）に対応する信号をフォトカプラ５４が出力することになるのはいうまでもない。
【００３７】
以上では、各可動軸片５０が相互に直接接続される構成について説明したが、図１９に示すように、各可動軸片５０の間に中間固定片５７を介在させると、更に安定して接続体５２を背板１０３に取り付けることができる。
【００３８】
即ち、中間固定片５７に対して各可動片５０の差込部５０ａ・５０ｂを回転自在に差し込み、これら可動片５０からなる接続体５２を得る。そして、この接続体５２を上記と同様に軸端片５６で背板１０３に固定するとともに、上記中間固定片５７でも背板１０３に固定しておく。なお、この場合の素子固定軸５５は上記と同様の構成（図１７参照）でもよいが、図２０に示すように、各中間固定片５７あるいは軸端片５６から素子固定軸５５を各可動片５０の内部に突出させるように構成してもよい。
【００３９】
ここで、図２１に示すように、上記フォトカプラ５４に代えてバリアブル抵抗７０を使用するようにしても、各電子ペーパの回転角を得ることができる。即ち、可動軸片５０の回転を妨げないようにドーナツ上のバリアブル抵抗７０を素子固定軸５５に固定し、このドーナツ上のバリアブル抵抗７０に接する可動端子７１を各可動軸片５０の内面に備えるようにする。このようにすれば、上記接続端子２１を同じ方向に向けた時に各バリアブル抵抗７０が同じ値を出力することになるので、各電子ペーパの回転角が得られることになる。
【００４０】
尚、上記の説明では、反射部５３を可動軸片５０の内周面に描くこととしているが、本発明はこれに限定されるものではない。すなわち、可動軸片５０が透明な材質で作られている場合は、反射部５３を可動軸片５０の外周面に描いても同様の効果が得られる。
【００４１】
さて、上記のようにフォトカプラ５４又はバリアブル抵抗７０を使用することで本体側の各接続端子２１の回転角が得られると、この回転角は、本体１０２にある位置検知手段３６によって着脱検知手段３０に通知されるようになっている。これによって、着脱検知手段３０は、電子ペーパ１０１が装着されている接続端子２１を検知した後、上記通知内容に基づいて、当該検知された接続端子２１に接続順序識別番号を付与するようになっており、以下その動作を詳しく説明する。
【００４２】
なお、以下では、図１７（ａ）（ｂ）に示すように、上側の軸端片５６に最も近い位置にある接続端子２１の接続端子識別番号を“１”、上側の軸端片５６に２番目に近い位置にある接続端子２１の接続端子識別番号を“２”、上側の軸端片５６に３番目に近い位置にある接続端子２１の接続端子識別番号を“３”、上側の軸端片５６に４番目に近い位置にある接続端子２１の接続端子識別番号を“４”として説明する。また、これら接続端子識別番号“１”〜“４”は、その配列順序とともに上記第一の記憶手段１０５に記憶されていることを前提とする。
【００４３】
まず、上記したように、着脱検知手段３０は、上記位置検知手段３６から回転角を通知された後、電子ペーパ１０１が装着されている接続端子２１を検知する。もちろん、位置検知手段３６が回転角を得る動作と、電子ペーパ１０１が装着されている接続端子２１を着脱検知手段３０が検知する動作との開始順序は限定されるものではない。すなわち、これら動作は、並行して行われてもかまわない（図１８、Ｓ１８１及びＳ１８２）。
【００４４】
次いで、着脱検知手段３０は、上記のように検知した接続端子２１の接続端子識別番号を第一の記憶手段１０５から取得する。例えば、接続端子識別番号が“１”の接続端子２１と接続端子識別番号が“３”の接続端子２１とに電子ペーパ１０１が装着されている場合、上記着脱検知手段３０は、この接続端子識別番号“１”及び“３”を第一の記憶手段１０５から取得することになる。
【００４５】
そして、上記着脱検知手段３０は、このように取得した接続端子識別番号“１”及び“３”の接続端子２１について、その接続順序識別番号を付与する（図１８、Ｓ１８３）。ただし、ここでは可動軸片５０が回転する構成を想定しているので、当該接続順序識別番号の付与処理は、以下に説明するように、上記位置検知手段３６から通知された回転角に基づいて行う。
【００４６】
例えば、接続端子識別番号が“２”の接続端子２１、接続端子識別番号が“１”の接続端子２１、接続端子識別番号が“４”の接続端子２１、接続端子識別番号が“３”の接続端子２１の順に、その回転角が小さい旨の通知を着脱検知手段３０が位置検知手段３６から受けている場合について説明する。すなわち、この場合の着脱検知手段３０は、装着されている電子ペーパ１０１が表紙３１に最も近いことを意味する接続順序識別番号“Ｃ１”を接続端子識別番号“１”の接続端子２１に付与するとともに、装着されている電子ペーパ１０１が表紙３１に２番目に近いことを意味する接続順序識別番号“Ｃ２”を接続端子識別番号“３”の接続端子２１に付与することになる。
【００４７】
さらに、上記着脱検知手段３０は、上記のように接続端子識別番号“Ｃ１”及び“Ｃ２”を付与した旨を第一の記憶手段１０５に記憶しておくとともに（図１８、Ｓ１８４）、これら接続端子識別番号“Ｃ１”及び“Ｃ２”を上記第一の表示制御手段１０６に通知しておく。これによって、この通知を受けた第一の表示制御手段１０６は、これら接続端子識別番号“１”及び“３”の接続端子２１に表示用データを転送する。このようにすれば、電子ペーパが接続されていない接続端子２１へ表示用データを送信すること（表示漏れ）なく、表紙に近い電子ペーパから順に表示用データを表示することができる（図１８、Ｓ１８５）。
【００４８】
ところで、以上で述べた電子ペーパ１０１側の接続端子１３は、電子ペーパ１０１の所定の位置に固定されているので、電子ペーパ１０１は、当該接続端子１３と対応した位置にある本体側の接続端子２１にのみ接続することが可能である。したがって、図２２（ａ）（ｂ）に示すように、複数の接続端子２１が本体１０２の縦方向に対してそれぞれ異なる位置に設けられている場合は、この本体側の各接続端子２１に接続可能な位置に接続端子１３を持つ電子ペーパ１０１を用意しなければならないという不具合があった。そこで、このような不具合を解決するために、以下の構成を採用するようにしてもよい。
【００４９】
すなわち、図２３に示すように、電子ペーパ１０１側の端部に、表示用データを転送するために必要な数のリード４０を縦方向に平行に配設しておく。
【００５０】
一方、図２４に示すように、上記可動軸片５０から、電子ペーパ１０１をその厚み方向に弾性で挟み込む２枚の挟み板４１を当該可動軸片５０の径方向に突設しておく。そして、この挟み板４１の内面に、電子ペーパ１０１に設けた平行リ−ド４０のそれぞれと先端が当接する導出リ−ド４２を設け、この導出リ−ド４２を本体内の導出リ−ド４２に導くように構成する。
【００５１】
ここで、各接続端子２１を構成する導出リ−ド４２の数は、電子ペーパ側の平行リ−ド４０の数と同じであり、また、当該導出リ−ド４２は、その先端のみで上記平行リ−ド４０と電気的に接続可能な接点４３を持っている。そして、この本体側の接続端子２１にある挟み板４１で電子ペーパ側の接続端子１３を両側から挟み込むことで、各平行リ−ド４０ａ・ｂ・ｃ・ｄと各接点４３ａ・ｂ・ｃ・ｄとが接するようになっている。これによって、上記第一の表示制御手段１０６によって転送された表示用データが、接点４３ａ・ｂ・ｃを介して所定の接続端子１３に流れるようになるのはいうまでもない。
【００５２】
また、上記のように着脱検知手段３０が通知した接続順序識別番号に基づいて第一の表示制御手段１０６が表示処理を行うと、電子ペーパ１０１が装着されている接続端子２１の接続順序識別番号が当該電子ペーパ１０１に表示されるようにしてもよい。このように接続順序識別番号を電子ペーパ１０１に表示すれば、当該電子ペーパ１０１を本体１０２から取り外した後でも、ユーザは、この接続順序識別番号を見ることで、電子ペーパ１０１に表示されている表示用データの順番を容易に判別することができる。
【００５３】
ところで、ある接続端子２１に装着されていた電子ペーパ１０１を取り外し、異なる接続端子２１に当該電子ペーパ１０１を装着すると、表示用データがページ順に表示されない場合がある。このような不具合を解決するためには、本体１０２に備えられた第一の記憶手段１０５に表示用データを記憶しておくとともに、上記着脱検知手段３０が電子ペーパ１０１の着脱を常に監視するように設定しておけばよい。
【００５４】
即ち、着脱検知手段３０は、電子ペーパ１０１が接続端子２１に装着されたこと又は電子ペーパ１０１が接続端子２１から取り外されたことを検知すると、上記のように、電子ペーパ１０１が装着されている接続端子２１の接続順序識別番号を第一の表示制御手段１０６に通知する。これによって、第一の表示制御手段１０６は、第一の記憶手段１０５から表示用データを読み出し、上記のように通知された接続順序識別番号に基づいて表示処理を行う。
【００５５】
なお、ここでは、本体１０２に備えられた第一の記憶手段１０５に表示用データを記憶しておくこととしているが、電子ペーパ１０１に備えられた第二の記憶手段１０５ｂ・ｃ・ｄに表示用データを記憶しておくようにしても同様の効果が得られる。すなわち、表示用データが記憶されている第二の記憶手段１０５ｂ・ｃ・ｄが電子ペーパ１０１にある場合、第一の表示制御手段１０６は、この第二の記憶手段１０５ｂ・ｃ・ｄから表示用データを取得して、上記のように表示処理を行うようにしてもよい。
【００５６】
また、本体１０２に上記位置検知手段３６が備えられている場合、この位置検知手段３６は、着脱検知手段３０と連動することによって、上記のように接続順序識別番号を接続端子２１に付与するとともに、この接続順序識別番号を第一の表示制御手段１０６に通知することになるのはいうまでもない。
【００５７】
さらに、本体１０２に図示しない所定のボタンを設け、このボタンをユーザが押下したときに、上記着脱検知手段３０または上記位置検知手段３６が作動するようにしてもよい。あるいは、電子ペーパファイルの電源投入時や電子ペーパの表示を一旦クリアにした時に、上記着脱検知手段３０または上記位置検知手段３６が作動するようにしてもよい。
【００５８】
ここで、上記表示部１２１は、図３に示すように、所定の表示媒体を備えた表示シートＡと、この表示シートＡを照明するための発光シートＢとからなり、以下その生成手順について説明する。
【００５９】
まず、上側のベースフィルムＡ2上にＩＴＯ電極（行電極）Ａ3を形成するとともに、下側のベースフィルムＡ6上にＩＴＯ電極（列電極）Ａ5を形成し、この列電極Ａ5の上に表示媒体（例えば強誘電性高分子液晶）Ａ4を一定の厚みで塗布する。次いで、この行電極Ａ3と列電極Ａ5とが相互に向き合い且つマトリクス状となるように貼り合わせ、更に、上記表示媒体Ａ4の分子を所定の配向とした後、偏光板Ａ1・Ａ7で両側から挟んで貼り合わせる。これによって、表示シートＡが生成されることになる。
【００６０】
これに対し、上記発光シートＢは、その全面が一様に発光すればよいため、上側のベースフィルムＢ1上に共通電極（陽極）Ｂ2を形成するとともに、下側のベースフィルムＢ6上に共通電極（陰極）Ｂ5を形成し、この共通電極Ｂ5の上に、絶縁層Ｂ3を用いて所定のパターンで発光媒体（例えば有機エレクトロルミネセンス）Ｂ4を形成した後、この共通電極Ｂ2と共通電極Ｂ5とが相互に向き合うように貼り合わせて生成する。
【００６１】
最後に、発光シートＢが表示シートＡを照明するよう、上記のように生成した発光シートＢを表示シートＡの下側に貼り合わせる。
【００６２】
尚、表示シートＡで使用する表示媒体Ａ4は、上記のような不揮発性の材料に限定する必要はない。例えば、正電荷を有する粒子に結合する色素材料と、負電荷を有する粒子に結合する物質（ｐＨが当該色素材料と逆の物質）等とを内蔵したマイクロカプセルを上記表示媒体Ａ4として採用することもできる。このようなマイクロカプセルの構造は、特表平１１−５０２９５０号公報に詳しい。
【００６３】
ここで、画素の白黒表示は、以下に説明するシャッター機能を利用したマトリクス制御によって行う。すなわち、表示シートＡの列電極Ａ5・行電極Ａ3間に所定電圧を印加すると、光を透過しない方向に表示媒体Ａ4の分子の配向が変化し（シャッターがＯＮとなり）、この列電極Ａ5及び行電極Ａ3によって特定される画素が黒く表示される。一方、上記所定電圧（以下「正電圧」という）の逆電圧を印加した場合は、光を透過する方向に表示媒体Ａ4の分子の配向が変化し（シャッターがＯＦＦとなり）、この画素は白く表示される。
【００６４】
一方、発光シートＢの共通電極Ｂ2・Ｂ5間に電圧を印加すると、発光媒体Ｂ4の全面が発光して表示シートＡを照明する。すなわち、発光媒体Ｂ4が発光すると、この光を透過する白画素（シャッターがＯＦＦとなっている画素）が点灯するようになっている。
【００６５】
なお、上記したように発光媒体Ｂ4は所定のパターンで形成するようにしているため、発光シートＢの共通電極Ｂ2・Ｂ5をマトリクス状の個別電極（すなわち行電極及び列電極）とし、この個別電極毎に印加する電圧を変えれば、例えばタイトル領域など、強調したい領域のみを照明することが可能となる。
【００６６】
また、発光シートＢをモノカラーで発光させる場合は全面一様に単色の光源を配置しておけばよいが、フルカラーで発光させる場合はマトリクス状にＲＧＢ（RedGreenBlue）の光源を配置しておく。フルカラーであっても全面一様に発光させる場合は、上記のように個別電極とするまでもなく共通電極Ｂ2・Ｂ5であってもかまわない。
（実施の形態１）
まず、本体側の接続端子２１が固定された状態で配列されている電子ペーパファイル１００の電源を投入すると、上記着脱検知手段３０が起動する。そして、この着脱検知手段３０によって、接続端子２１における電子ペーパ１０１の着脱状況がページ数認識手段３０３に通知されるようになっている。
【００６７】
ここで、上記ページ数認識手段３０３は、上記着脱検知手段３０からの通知を受けたことによって、何ページの電子ペーパ１０１が本体１０２に装着されているかを認識する（図４、Ｓ１）。なお、着脱検知手段３０が、電子ペーパ１０１が装着されている接続端子２１の接続順序識別番号を第一の表示制御手段１０６に通知する点は上記した通りである。
【００６８】
一方、図１５に示すように、上記可動軸片５０に接続端子２１が接続されている場合、この電子ペーパファイルの電源が投入されると、上記着脱検知手段３０と上記位置検出手段３６とが起動する。そして、このように起動した着脱検知手段３０は、電子ペーパ１０１の着脱状況をページ数認識手段３０３に通知するとともに、上記のように付与した接続順序識別番号を第一の表示制御手段１０６に通知する。
【００６９】
以下、上記接続端子識別番号が１から５の接続端子２１に電子ペーパが装着されていることを前提に説明する。また、電子ペーパファイルの電源が投入されると、上記第一の表示制御手段１０６によって、上記第一の記憶手段１０５に記憶されている表示用データが、その先頭ページから順に電子ペーパ１０１に表示される設定となっていることを前提とする。
【００７０】
すなわち、電子ペーパファイルの電源が投入されると、第一の表示制御手段１０６は、接続端子識別番号１から５の接続端子に装着されている電子ペーパ１０１に対して上記表示用データの１〜５ページを表示することになる。なお、別のページを閲覧するには、上記ページ指定手段１０８に含まれる改ページボタン３０２を用いて所望のページ番号を上記ページ表示手段１０７に表示させればよい。
【００７１】
ここで、初期設定では、上記改ページボタン３０２（例えば前進キー３０２ａと後退キー３０２ｂからなる）を１回押すと上記改ページ手段が起動し、上記表示部１２１に表示される表示用データが１ページ分前進又は後退するようになっている。例えば、１〜５ページ迄が上記表示部１２１に表示されている状況下、２〜６ページ迄を上記表示部１２１に表示させたい場合は、まず、上記改ページボタン３０２ａを１回押す（図４、Ｓ２）。
【００７２】
この際、改ページ手段は、表示用データの最初又は最終ページのみが電子ペーパ１０１に表示されているか否か判断し（図４、Ｓ３）、最初又は最終ページのみが表示されていると判断すると、上記前進キー３０２ａ又は後退キー３０２ｂ押す行為を無効にする（図４、Ｓ６）。ここでは、電子ペーパ１０１には、１から５ページが表示されているので、上記前進キー３０２ａを押す行為は有効となり、これによって上記ページ番号指定手段１０７には“２”が表示されることに
なる。
【００７３】
次いで、ユーザは、上記のように“２”が表示されたことを確認したら（図４、Ｓ４）、上記ページ指定手段１０８に含まれる転送ボタン３１０を押す（図４、Ｓ５）。これによって、上記ページ表示手段１０７に表示されたページ番号（ここでは「２」）が上記第一の表示制御手段１０６に転送されることになる。
【００７４】
そこで、第一の表示制御手段１０６は、上記表示用データの２から６ページまでを第一の記憶手段１０５から取得し、必要に応じてドットデータに変換した後、電子ペーパにある表示用ドライバ１２２に転送する。これによって、上記表示用データの２から６ページが電子ペーパ１０１に表示されることになるのはいうまでもない。
【００７５】
尚、図５に示すように、（ｎ−４）ページ（ｎ：最終ページ番号）から（ｎ）ページが電子ペーパ１０１に表示された状態で前進キー３０２ａを押すと、この電子ペーパ１０１には、（ｎ−３）ページから（ｎ）ページが表示される結果、１ページの電子ペーパ１０１には何も表示されない状態となる。
【００７６】
また、ここでは、ページ表示手段１０７を確認したのち転送ボタン３１０を押すことで、電子ペーパ１０１に表示されるページの前進後退を行うことしているが、上記改ページボタン３０２を押すと、電子ペーパ１０１に表示されるページの前進後退が自動的に行われるようにしてもよい。
【００７７】
次いで、上記ページ指定手段１０８に含まれるモード変換ボタン３０１を押すと、改ページボタン３０２のモードが変換し、ページ番号の表示モードが変わる。そこで、ユーザが上記ページ指定手段１０８に含まれるテンキー３０４を用いて閲覧したいページ番号を直接入力すると、上記改ページ手段が起動して以下の処理を行う（図４、Ｓ７）。
【００７８】
すなわち、改ページ手段は、入力されたページ番号が上記ｎ以下であるか否かを判断する（図４、Ｓ８）。そして、このページ番号が上記ｎ以下である場合は、当該ページ番号がページ表示手段１０７に表示されることになり（図４、Ｓ９）、反対にｎを越える場合は、改ページ手段によって当該ページ入力操作が無効とされる（図４、Ｓ１０）。
【００７９】
そして、所望のページ番号がページ表示手段１０７に表示されていることを確認した時点でユーザが上記転送ボタン３１０を押すと（図４、Ｓ５）、このページ番号を先頭とする５ページ分のデータが上記第一の表示制御手段１０６に転送される。この後、所望の表示用データが上記表示部１２１に表示されるまでの処理は、初期状態の改ページボタン３０２を用いてページ番号を指定した場合と同様であるため、ここでは説明を省略する。
【００８０】
更に、上記モード変換ボタン３０１を２回続けて押すと改ページ手段が起動し、つづいて上記改ページボタン３０２を１回押すと、電子ペーパ１０１に表示される表示用データのページ番号が装着ページ数分前進又は後退するようになっている。
【００８１】
すなわち、上記モード変換ボタン３０１を２回続けて押すと、上記着脱検知手段３０が起動して、接続端子２１における電子ペーパ１０１の着脱状況を検知する。そして、上記ページ数認識手段３０３は、この着脱状況に基づいて、現在何枚の電子ペーパが装着されているかを認識する。
【００８２】
つづいて上記改ページボタン３０２を１回押すと（図４、Ｓ１１）、上記改ページ手段は、現在表示されているページから装着ページ数分（ここでは５ページ分）前進又は後退した状態で、表示対象となるページがあるか否かを判断する（図４、Ｓ１２）。そして、表示対象となるページがあると判断した場合は、上記装着ページ数分前進又は後退した後に、電子ペーパ１０１のトップページに表示されるページ番号がページ表示手段１０７に表示される。一方、表示対象となるページが無いと判断した場合、上記改ページボタン３０２を押す行為は改ページ手段によって無効とされる（図４、Ｓ１３）。
【００８３】
そして、所望のページ番号がページ表示手段１０７に表示されていることを確認した時点でユーザが上記転送ボタン３１０を押すと（図４、Ｓ１４→Ｓ５）、このページ番号を先頭とする５ページ分のデータが上記第一の表示制御手段１０６に転送される。この後、所望の表示用データが上記表示部１２１に表示されるまでの処理は、初期状態の改ページボタン３０２を用いてページ番号を指定した場合と同様であるため、ここでは説明を省略する。
【００８４】
このように、１回改ページボタン３０２を押すことで、現在表示されているページの続きが表示部１２１に表示されるようにしているため、迅速に表示用データを閲覧することができる。
【００８５】
又、上記モード変換ボタン３０１を３回続けて押すと、上記改ページ手段が起動するようになっており、この状態で改ページボタン３０２を１回押すと、何ページ分前進又は後退するかを上記テンキー３０４で指定することができる（図４、Ｓ１５）。このように指定したページ番号はページ表示手段１０７に表示されるので（図４、Ｓ１６）、ユーザは、所望のページ番号が指定できたことを確認したら、上記ページ指定手段１０８に含まれる確定ボタン３１１を押す（図４、Ｓ１７）。以降の動作（図４、Ｓ１８→Ｓ１９→Ｓ２０→Ｓ５、Ｓ１８→Ｓ１９→Ｓ２１）は、上記（図４、Ｓ１１→Ｓ１２→Ｓ１４→Ｓ５、Ｓ１１→Ｓ１２→Ｓ１３）と基本的に同じであるため、ここでは詳しい説明を省略する。
【００８６】
尚、改ページボタンを１回押ことで前進又は後退するページ数は、装着された電子ペーパ１０１のページ数の範囲内であっても範囲外であっても構わない。すなわち、改ページボタンを１回押ことで前進又は後退するページ数が、装着された電子ペーパ１０１のページ数の範囲内であれば、新たに表示されたページと以前から表示されていたページの一部とを見比べながら、閲覧を進めて行くことができる。一方、改ページボタンを１回押ことで前進又は後退するページ数が、装着された電子ペーパ１０１のページ数の範囲外であれば、上記範囲内である場合より高速にページ送りをすることができる。
【００８７】
ところで、現在閲覧しているページと、このページと連続しないページとを見比べたい場合がある。このような場合は、以下の手順を実行することによって、図６に示すように、これらページを隣り合った電子ペーパ１０１に表示すると見比べ易い。
【００８８】
まず、上記ページ指定手段１０８に含まれる表示用選択ボタン３０５押すと（図７、Ｓ５１）、表示選択手段が作動するようになっており、表示用データを表示させたい電子ペーパ１０１のページを上記テンキー３０４を用いて指定することができるようになる（図７、Ｓ５２）。もちろん、上記モード変換ボタン３０１を例えば４回押すことによって、上記表示選択ボタン３０５を押すことと同様の機能を果たすことができるようにしてもよい。
【００８９】
次いで、表示選択手段は、上記のように指定したページが電子ペーパ１０１の装着ページ数を越えるか否かを判断する（図７、Ｓ５３）。そして、電子ペーパ１０１の装着ページ数を越えると判断した場合は、当該ページ指定操作を無効とし（図７、Ｓ５４）、一方、電子ペーパ１０１の装着ページ数を越えないと判断した場合は、上記のように指定したページ番号をページ表示手段１０７に表示する（図７、Ｓ５５）。
【００９０】
これによって、所望の電子ペーパ１０１のページ番号がページ表示手段１０７に表示されていることを確認したユーザが上記確定ボタン３１１を押すと（図７、Ｓ５６）、表示用データを表示する電子ペーパ１０１のページが確定されることになる。
【００９１】
次に、閲覧したい表示用データのページが上記テンキー３０４を用いて入力されると（図７、Ｓ５７）、上記表示選択手段は、このように入力されたページ番号が上記ｎ以下であるか否かを判断する（図７、Ｓ５８）。そして、上記ｎ以下であると判断した場合は、上記のように入力されたページ番号をページ表示手段１０７に表示し（図７、Ｓ５９）、一方、上記ｎ以下でないと判断した場合は、当該ページ入力操作を無効にする（図７、Ｓ６０）。
【００９２】
そこで、ユーザは、上記ページ表示手段１０７に所望のページが表示されていれば、上記確定ボタン３１１を押す（図７、Ｓ６１）。これによって、表示用データの所望のページが所定の電子ペーパ１０１に表示されることになる。
【００９３】
続けて、他の電子ペーパ１０１に上記表示用データの他のページを表示させる場合は（図７、Ｓ６２）、上記表示選択ボタン３０５を押す（図７、Ｓ５１）。なお、その後の処理は上記と同様であるため、ここでは詳しい説明を省略する。
【００９４】
最後に、上記ページ指定手段１０８に含まれる終了ボタン３０６が押されると（図７、Ｓ６３）、第一の表示制御手段１０６は、表示用データを第一の記憶手段１０５から取得し、必要に応じてドットデータに変換した後、電子ペーパ１０１にある表示用ドライバ１２２に転送する。
【００９５】
このように、現在閲覧しているページと、このページと連続しないページとを見比べたい場合は、これらページを隣り合った電子ペーパ１０１に表示することができる。尚、このように隣り合った電子ペーパ１０１に所定のページを表示した場合、その他の電子ペーパ１０１に表示するページは特に限定されるものではない。すなわち、図６に示すように、表示用データの２ページと１０ページとを隣り合った電子ペーパ１０１に表示するようにした場合、この１０ページ以降は、３ページと４ページが続くようにしてもよいし、あるいは、１１ページと１２ページが続くようにしてもよい。
【００９６】
以上のように、本発明によると、電子ペーパファイルにある記憶手段に所望の表示用データが記憶されていれば、フラッシュメモリやＣＤ−ＲＯＭ等の記録媒体を所持しなくても、あるいは、インターネットに接続できない環境であっても、所望の表示用データを閲覧することができる。
【００９７】
また、本発明によると、膨大なページ数の電子ペーパを電子ペーパファイルに装着しておかなくても、百科辞典データや論文集データのように膨大なサイズのデータの全部を電子ペーパに表示することが可能となるため、電子ペーパファイルの操作性が向上する。
【００９８】
更に、本発明では、本体だけでなく電子ペーパにも信号授受手段を備えているので、所定の記憶媒体の規格に変更があった場合の対応が容易である。すなわち、所定の記憶媒体の規格に変更があっても、この規格に対応した電子ペーパ１枚を用意することで、当該記録媒体にある表示用データを閲覧することができる。
【００９９】
尚、上記第一の記憶手段１０５に表示用データが記憶されていない場合は、表示用データが記憶されている記録媒体（例えばＣＤ−ＲＯＭ）やインターネット等から、本体信号授受手段１０４を介して表示用データを取得してもよい。もちろん、このように取得した表示用データは、上記第一の記憶手段１０５に入力して記憶しておくのが好ましい。
【０１００】
また、上記の説明では、ページ表示手段１０７は、改ページボタン３０２やテンキー３０４を用いて指定されたページ番号を表示することとしているが、本発明はこれに限定されるものではない。すなわち、ページ表示手段１０７は、電子ペーパ１０１に表示される全ての表示用データのページ番号を表示するようにしてもよい。
【０１０１】
さらに、上記の説明では特に言及していないが、改ページボタン３０２やテンキー３０４を用いて指定されたページ番号が表示用データの総ページ数を超える場合は、その旨をユーザに通知するための警告音やエラーメッセージを出力するようにしてもよい。
（実施の形態２）
本実施の形態は、ページ指定手段１０８を用いて指定したページが電子ペーパ１０１の表示部１２１に表示される点は上記実施の形態１と同様であるが、ページ指定手段１０８が本体１０２に配設されてない点が上記実施の形態１と異なる。
【０１０２】
すなわち、上記ページ指定手段１０８は、図８に示すように、電子ペーパ１０１の端部（即ち、電子ペーパファイル１００や電子ペーパ１０１を支える手の位置）に配設する。このように配設しても、ページ指定手段１０８を用いてページ番号を指定する方法は実施の形態１と同様である。
【０１０３】
しかし、電子ペーパファイル１００や電子ペーパ１０１を支えた状態で指を動かすことによって改ページが可能になるという利点がある。また、上記表示部１２１の表示用データが表示されない面にページ指定手段１０８を配設すれば、例えば人指し指のみを動かすことで改ページが可能になる。
【０１０４】
更に、上記ページ表示手段１０７を電子ペーパ１０１に配設すれば、視線を電子ペーパ１０１から動かさなくても、正しくページが指定されているか否かを確認することができるので目が疲れない。したがって、ユーザは、集中して表示用データを閲覧することができる。
【０１０５】
更に、上記ページ指定手段１０８として以下の技術を採用するようにしてもよい。
【０１０６】
例えば、電子ペーパ１０１の表示部１２１にデジタイザ機能と手書文字認識手段とを採用するようにしてもよい。即ち、所定の筆記用具や指等で上記表示部１２１に所望のページ番号をなぞり、ここでなぞった位置をデジタイザ機能によって認識する。そして、このように認識した位置をもとに上記手書文字認識手段が文字認識を行うことによって、ページ番号を認識するようになっている。
【０１０７】
あるいは、上記電子ペーパ１０１がソフトウエア・キーボードの機能を備える場合には、この機能をページ指定手段１０８として活用するようにしてもよい。
【０１０８】
更には、携帯電話などの外部端末を接続するための手段を電子ペーパファイル１００に備えてもよい。このようにすれば、外部端末が備えたテンキー等を用いて所望のページ番号を指定することができる。
【０１０９】
同様に、電子ペーパファイル１００に無線通信機能を持たせてもよい。このようにすれば、この電子ペーパファイルから離れた所に位置する無線通信機能を持った携帯端末のテンキー等を用いて所望のページ番号を指定することができる。
（実施の形態３）
本実施の形態では、図９に示すように、上記本体１０２と物理的に接続されていない電子ペーパ１０１に、ユーザが希望する表示用データを表示する場合について説明する。
【０１１０】
まず、ユーザが上記本体１０２の電源を投入すると、この本体１０２にある電子ペーパ検知手段１０９は、自動的に或いはユーザの指示に基づいて、遠隔操作が可能な通信ソースに基づく信号（電波や超音波等）を出力できるようになっている。一方、各電子ペーパ１０１側も、上記本体１０２側からの指示に応じて或いは自らの状態に応じて、必要な信号を本体１０２に返すことができるようになっている。
【０１１１】
また、特定の本体１０２とそれに使用する電子ペーパ１０１との関連付けが、上記第一の記憶手段１０５と、各電子ペーパ１０１ｂ・ｃ・ｄ側の第二の記憶手段１０５ｂ・ｃ・ｄとに予め書き込まれているものとする。この関連付けは、例えば、本体側１０２及び各電子ペーパ１０１ｂ・ｃ・ｄに識別番号（ＩＤ）を付すことによってなされるものとする。
【０１１２】
なお、上記識別番号は、上記接続端子識別番号であってもよいし、あるいは、電子ペーパ１０１がＲＯＭを備える場合は当該ＲＯＭに記憶された製造番号であってもよい。このように関連付けするのは、ある本体１０２との関連で使用される電子ペーパ１０１が他の本体１０２から発せられる電波等に無差別に反応しないようにするためである。
【０１１３】
以下の説明では、電子ペーパファイル１００の電源がＯＮになってから或いは電源がＯＮになる前に、各電子ペーパ１０１ｂ・ｃ・ｄが本体１０２のコネクタから外されている場合を想定し、また、通信ソースとして電波を使用する場合を例示する。なお、ここで使用される電波は、例えばＢｌｕｅｔｈｏｏｔｈ等の規格に沿った電波を用いることができる。
【０１１４】
まず、電子ペーパファイル１００の電源が投入されると、または、いずれかの電子ペーパ１０１が本体１０２から外され或いは本体１０２に装着されると、本体１０２は、上記関連付けに基づいて各電子ペーパ１０１の識別番号を取得する。尚、ここでは、上記電子ペーパ検知手段１０９は３枚の電子ペーパ１０１ｂ・ｃ・ｄの識別番号を検知できたものとする。
【０１１５】
次に、番号付与手段１１０は、上記電子ペーパ検知手段１０９が検知した識別番号に基づいて、電子ペーパ番号１５０（ＥＰ１からＥＰ３）を電子ペーパ１０１ｂ・ｃ・ｄに割り当てる。なお、この電子ペーパ番号１５０（ＥＰ）を割り当てる方法としては、例えば、上記識別番号の文字コードの小さい順に、電子ペーパ番号１５０を１から順に割り当てるようにする方法がある。もちろん、ここでいう識別番号に上記接続端子識別番号を採用した場合、ここでいう電子ペーパ番号１５０には上記接続順序識別番号を採用することもできる。
【０１１６】
そして、上記本体１０２と上記電子ペーパ１０１ｂ・ｃ・ｄとが電気的に接続された状態になると、上記電子ペーパ検知手段１０９は、３枚の電子ペーパを検知したことを上記第一の表示制御手段１０６に通知する。これによって、第一の表示制御手段１０６は、例えば最初から３ページ分の所定の表示用データを上記第一の記憶手段１０５から取得するようになっている。
【０１１７】
続いて、本実施の形態における第一の表示制御手段１０６は、上記のように取得した表示用データのうち最初のページにあたる表示用データを、上記電子ペーパ番号１５０（ＥＰ１）の電子ペーパ１０１（ここでは、電子ペーパ１０１ｂとする）に上記本体信号授受手段１０４を介して送信するようになっている。即ち、ここでは、１ページ目の表示用データが送信されることになる。
【０１１８】
以下同様に、上記第一の表示制御手段１０６は、上記電子ペーパ番号１５０（ＥＰ２，３）の電子ペーパ１０１に、２ページ目・３ページ目の表示用データを送信するようにする。尚、上記本体１０２と物理的に接続されていない所望の電子ペーパ１０１に、本体１０２にある表示用データを転送するには、例えば以下のようにする。
【０１１９】
即ち、上記のように関連付けられた各電子ペーパ１０１の識別番号（ＩＤ）を上記本体１０２のページ指定手段１０８に予め記憶させて、当該ＩＤが記憶された電子ペーパ１０１の中から所望の転送先をボタン等で選定するという方法がある。
【０１２０】
次いで、上記第一の表示制御手段１０６から送信された１ページ目の所定の表示用データは、電子ペーパ１０１ｂにある本体信号授受手段１０４ｂによって受信される。これによって、本体信号授受手段１０４ｂによって受信された１ページ目の表示用データは、電子ペーパ１０１ｂにある第二の記憶手段１０５ｂに記憶されるとともに、電子ペーパ１０１ｂにある第二の表示制御手段１０６ｂに読み出される。そして、第二の表示制御手段１０６ｂは、１ページ目の所定の表示用データを必要に応じてドット形式に変換し、電子ペーパ１０１ｂの表示部１２１ｂに表示する。同様に、２ページ目・３ページ目の表示用データは、上記第一の表示制御手段１０６から電子ペーパ１０１ｃ・ｄに送信され、この電子ペーパ１０１ｃ・ｄの表示部１２１ｃ・ｄに表示されるようになる。
【０１２１】
また、ユーザが、実施の形態１又は２に記載したページ指定手段１０８に含まれる改ページボタン３０２等を用いることで、４ページ以上からなる表示用データの中からユーザが表示を希望する表示用データを上記３枚の電子ペーパ１０１ｂ・ｃ・ｄに表示することができるようになる。
【０１２２】
例えば、上記３枚の電子ペーパ１０１ｂ・ｃ・ｄに１〜３ページ目までの表示用データが表示されている状況下、この電子ペーパ１０１ｂ・ｃ・ｄに２〜４ページまでの表示用データを表示させたい場合について説明する。
【０１２３】
まず、ユーザが上記改ページボタン３０２ａを押下したのち転送ボタン３１０を押下すると、実施の形態１に記載のように、上記第一の表示制御手段１０６は、第一の記憶手段１０５から２から４ページ目までの表示用データを取得する。そして、第一の表示制御手段１０６は、先頭のページにあたる表示用データ（ここでは、２ページ目の表示用データ）を電子ペーパ１０１ｂに送信するとともに、３ページ目・４ページ目の表示用データを電子ペーパ１０１ｃ・ｄに送信する。
【０１２４】
上記においては表示用データの内容は考慮されていないが、上記電子ペーパ１０１の識別番号（ＩＤ）または上記電子ペーパ１０１に表示されている表示用データの内容を特定する文章ＩＤ（上記表示用データのファイル名やページ番号等）に基づいて、表示用データを転送するようにしてもよい。例えば、文章ＩＤが電子図書の種類を表す場合、本体１０２は、上記第一の記憶手段１０５に記憶されている電子図書と異なる種類の電子図書が表示されている電子ペーパ１０１には、当該表示用データを送信しないようにする。
【０１２５】
また、上記第二の記憶手段１０５ｂ・ｃ・ｄを上記第一の記憶手段１０５の拡張メモリとして使用することもできる。例えば、記録媒体やインターネット等から大容量の表示用データを取得した場合、この表示用データを上記第一の記憶手段１０５に格納できない場合がある。この場合は、当該第一の記憶手段１０５に格納できないデータを上記第二の記憶手段１０５ｂ・ｃ・ｄに格納するようにしてもよい。
【０１２６】
更に、上記のように記録媒体やインターネット等から上記表示用データを取得する際に、上記第一の記憶手段１０５又は第二記憶手段１０５ｂ〜ｄのいずれの記憶手段に当該表示用データを格納するかは、ユーザが選択できるようにしてもよい。また、ユーザの選択によって、当該表示用データを複数の記憶手段に記憶させるようにしてもよい。
【０１２７】
また、ユーザが、本体１０２に設けられた図示しない押しボタンを押下することで、上記電子ペーパ検知手段１０９は、電子ペーパ１０１の識別番号（ＩＤ）を検知するようにしてもよい。
（実施の形態４）
ところで、上記電子ペーパファイルは、ディスプレイに代表される従来の表示装置とは異なり、携帯可能かつノート状の構成を成す。このため、閲覧又は編集を目的とする文書の使用態様は、例えばパーソナルコンピュータにて当該文書を表示・編集し、一旦紙に出力（印刷）してから該印刷物を携帯するといった従来の使用態様ではなく、上記目的とする文書を電子ペーパファイルに保存し、この電子ペーパファイル自体を携帯するといった使用態様となることが予想できる。
【０１２８】
このような使用態様では、紙製のノート（以下、単に「ノート」という場合は紙製のノートをいう）への書き込み（編集）と同様の編集方法が求められる。ここでいう編集方法とは、文字データに対する振り仮名や注釈の書き込み、さらには、文字コードでは管理できない図柄の挿入（上書き）や移動等の方法をいう。
【０１２９】
しかしながら、例えば文字と振り仮名とが密接に関連しているように、上記文字データと書き込みデータとは密接に関連している。このため、上記編集時（特に移動時）には、上記文字データと書き込みデータ（画像データ）とを同時に処理する必要がある。
【０１３０】
さらに、上記電子ペーパファイルは、複数の電子ペーパを備えているため、ある電子ペーパに表示されているデータを編集した場合は、その編集内容と関連性の強いデータを表示している他の電子ペーパにも、当該編集内容を同時に反映させる必要がある。
【０１３１】
そこで、本実施の形態では、所定の編集を複数のページに渡って反映可能とし、また、関連性の強い文字データ及び画像データを同時に編集でき、さらに、各ページ間の編集作業を容易にした電子ペーパファイルを提供するために、以下の手段を採用している。
【０１３２】
すなわち、図２９に示すように、本実施の形態における電子ペーパファイル１００は、本体信号授受手段１０４及び表示発光制御手段２３を背板１０３に備えた本体１０２と、表示駆動部１２及び表示部１２１を備えた電子ペーパ１０１とが、物理的・電気的に接続されて構成される。ここでいう表示発光制御手段２３とは、上記本体信号授受手段１０４より受信した表示用データを所定ビットのデータとして当該電子ペーパ１０１に転送すると共に、上記発光シートＢの発光制御をも行う手段をいう。なお、その他の構成要素については、上記実施の形態１から３と同じであるため、ここでは詳しい説明を省略する。
【０１３３】
次に、図２５を用いて、表示用データが表示部１２１に表示される仕組みを説明する。  まず、表示用データが格納されたメモリカード４１が本体信号授受手段１０４に接続されると、当該表示用データは本体信号授受手段１０４によって読みだされ、表示発光制御手段２３に送信される。これによって、表示発光制御手段２３は、上記表示用データを文字データと画像データとに分別し、一旦、表示駆動部１２を構成する文字記憶手段４２と画像記憶手段４３とに記憶する。
【０１３４】
なお、上記文字データは、例えばＡＳＣＩＩコード等の文字コードであり、また、上記画像データは、例えばビットマップのデータである。この文字データと画像データの分別方法は、上記表示用データの型式によって異なるため、ここでは説明を省略する。
【０１３５】
続いて、上記表示発光制御手段２３は、上記文字記憶手段４２に格納されている文字データを画素データに変換し、さらに位置データを付加して表示用ビットデータとし、電子ペーパ１０１を構成する表示用ドライバ１２２に送信する。
【０１３６】
なお、上記画素データは、表示部１２１を構成する各画素に対応する色データや濃度データで構成される。また、上記位置データは、上記表示部１２１を構成する各画素のアドレス、例えばｘ座標（Ｌ１行配線）及びｙ座標（Ｌ２列配線）で表される。
【０１３７】
さて、上記表示用ドライバ１２２は、上記表示用ビットデータを受信すると、この表示用ビットデータより画素データ及び位置データをデコードすることによって、当該表示用ビットデータの画素情報と、当該画素の位置とを認識する。続いて、表示用ドライバ１２２は、このように認識した画素の位置に対応する列配線Ｌ２及び行配線Ｌ１に、当該デコードされた画素データに対応した電圧を出力することで、表示部１２１の所定の位置に上記文字データを表示する。
【０１３８】
また、上記表示発光制御手段２３は、上記画像記憶手段４３に記憶されている画像データも同様に画素データに変換して位置データを付加し、電子ペーパ１０１を構成する表示用ドライバ１２２に送信することで、上記文字データと同様、画像データを表示する。
【０１３９】
このように、電子ペーパ１０１の表示駆動部１２に上記文字記憶手段４２及び画像記憶手段４３を設ければ、当該電子ペーパ１０１を本体１０２より取り外した場合でも、上記文字データ及び画像データを電子ペーパ１０１上で独立して管理することが可能である。ただし、上記文字記憶手段４２及び画像記憶手段４３は、必ずしも上記電子ペーパ１０１上に設ける必要はなく、本体１０２上に設けてもよい。又、上記文字記憶手段４２及び画像記憶手段４３への入力（編集）の反映を上記メモリカード４１に対しても行うことで、元となる表示用データを編集することも可能である。
【０１４０】
続いて、上記電子ペーパ１０１上での文字データ及び画像データの入力（編集）処理について説明する。
【０１４１】
まず、上記電子ペーパ１０１に表示されている内容を編集するための一態様としては、図３０に示すように、透明シート４４を用いた態様が考えられる。この透明シート４４は、タブレット・デジタイザ・タッチパネル等で使用されている電磁誘導方式や静電結合方式等による座標検出手段である。
【０１４２】
すなわち、図３０に示す電子ペーパ１０１では、デジタイザ機能を備えた透明シート４４（即ち、筆記具が接触した位置を検出可能である機能を備えた透明シート４４）を表示部１２１の上面に備える。これによって、ユーザの希望する文字又は図柄を当該透明シート４４の上に筆記具（例えばペンのように先端部の尖った物）で描くと、この筆記具と透明シート４４との接触点の位置を当該透明シート４４がデジタイザ機能を用いて検出し、表示発光制御手段２３に送信するようになっている。
【０１４３】
但し、上記と同様の位置指定が可能であれば、必ずしもデジタイザ機能を用いる必要はない。例えば、マウスに代表されるポインティングデバイス等を用いて上記位置指定をしても同様の効果が得られる。
【０１４４】
そして、上記表示発光制御手段２３は、編集内容に対応する色データや濃度データと、上記接触点の位置に対応する画素の位置データとを基に、上記画像記憶手段４３に記憶されている画像データを更新する。なお、ここでいう編集内容とは、ユーザが書き込みを行う場合に予め設定した色・濃度・表現方法（表現方法とは、例えば、ブラシや筆等での書き込みをイメージさせるための方法）等の内容をいう。
【０１４５】
以降は、上記本体信号授受手段１０４から画像データを受信した場合と同様である。
【０１４６】
以上のような入力処理により、上記画像記憶手段４３に格納されている画像データと、表示部１２１の表示とを更新することができる。
【０１４７】
又、文字データを入力する場合には、予めユーザが入力を希望する位置を上記筆記具等を用いて指定する。このように指定された位置は、上記同様、透明シート４４から表示発光制御手段２３に送信されるようになっている。
【０１４８】
続いて、ユーザがソフトウェアキーボード又は別途接続したキーボードを用いて所定の文字を入力すると、表示発光制御手段２３は、この入力文字を文字データとして受信する。そして、このように受信した文字データを、上記のように指定された位置の情報を用いて、文字記憶手段４２に記憶されている文字データに挿入する。
【０１４９】
以後、上記本体信号授受手段１０４から画像データを受信した場合と同様に、上記電子ペーパ１０１の表示を更新する。尚、上記画像データ及び文字データを各記憶手段へ反映する処理は、記憶手段の制御に関する処理であり本発明とは直接関連しない処理であるため、ここでは詳しい説明を省略する。
【０１５０】
以上により、上記電子ペーパ１０１上にて直接表示内容を編集することが可能である。また、上記文字記憶手段及び画像記憶手段を電子ペーパ１０１に設けることにより、上記電子ペーパ１０１を取り外した場合でも、文字データ及び画像データを独立した電子データとして保持することが可能となる。
【０１５１】
続いて、図２５、図２６（ａ）、図２６（ｂ）を参照しながら、上記電子ペーパ１０１上での文字データ及び画像データの削除（編集）処理について説明する。
【０１５２】
図２６（ａ）は、上記電子ペーパファイル１００を簡易的に表したものであり、この電子ペーパファイル１００は、３枚の上記電子ペーパ５４〜５６を備えている。尚、当該電子ペーパ５４〜５６は、図２５に示した電子ペーパ１０１と同一の機能を有する。また、各電子ペーパ５４〜５６には、それぞれ文字記憶手段５４−２、５５−２、５６−２及び画像記憶手段５４−３、５５−３、５６−３が設けられ、さらに連続したページに対応する文字データ及び画像データがそれぞれの表示部に表示されているものとする。尚、図２６（ｂ）は、図２６（ａ）における文字記憶手段５５−２の内部のイメージ図である。
【０１５３】
まずユーザは、以下に説明するように、文字データを削除しようとする領域６０を指定する。すなわち、電子ペーパ５５における領域６０を指定する場合、まず当該領域６０の左上の端点６１を上記筆記具１４を用いて押下する。続いて透明シート４４を押圧した状態で当該領域６０の右下の端点６２まで筆記具１４を用いてなぞると、上記端点６１と端点６２とを結ぶ線を対角線とする矩形領域６０が表示部１２１に現れる。上記端点６２から筆記具１４を離すと領域６０が確定し、端点６１と端点６２の画素の位置データが表示発光制御手段２３に送信される。
なお、以下の説明では、上記領域６０を指定した後の当該領域６０の上部に位置する領域を「領域７０」といい、下部に位置する領域を「領域７１」という。
【０１５４】
さて、上記表示発光制御手段２３は、上記領域６０を認識すると、当該領域６０に対応する文字記憶手段５５−２を参照し、上記領域６０に含まれる文字データを得る。
【０１５５】
続いて、ユーザが例えば上記電子ペーパ５５上に表示される編集メニューより「削除」を選択すると、上記表示発光制御手段２３を構成する編集手段は、当該領域６０に対応する文字データ（図２６（ｂ）の領域Ｍ６０）を上記文字記憶手段５５−２より削除する。
【０１５６】
以上により、文字記憶手段５５−２内の所定のデータは削除されるが、当該削除後に以下の処理を実行するようにしてもよい。
【０１５７】
即ち、削除した領域６０を空白のままにする場合、上記編集手段６５は、上記記憶手段５５−２に記憶されている、領域７０に対応する文字データの後部に、上記削除した領域６０に対応する行数だけ改行コードを挿入する。また、上記記憶手段５５−３に記憶されている、領域７０に対応する画像データの後部に、上記削除した領域６０に対応する範囲の空白データを挿入する。ここで空白データとは、何も表示を行わない場合に挿入されているデータであり、画像データの形式によっては、データを挿入する必要がない場合もある。
【０１５８】
以上により、上記領域６０を削除した場合には、当該領域６０は何も表示されていない状態となる。この機能は、所定の電子ペーパを取り外して他のユーザに渡す場合に有効である。
【０１５９】
次に、削除した領域６０に後続の文字データを移動する場合、上記編集手段６５は、上記記憶手段５５−２に記憶されている、領域７０に対応する文字データ（図２６（ｂ）の領域Ｍ７０）の後部に、領域７１に対応する文字データ（図２６（ｂ）の領域Ｍ７１）を配置する。これによって、文字記憶手段５５−２内で、領域７１に対応する文字データ（図２６（ｂ）の領域Ｍ７１）が上部に移動することになる。
【０１６０】
続いて、上記編集手段６５は、上記電子ペーパ５６の文字記憶手段５６−２の先頭部分から、上記削除された領域６０に対応する文字データと同量の文字データをコピー（削除）し、上記電子ペーパ５５の文字記憶手段５５−２に記憶されている文字データの後部（図２６（ｂ）の領域Ｍ７２）に追加する。
【０１６１】
以上により、上記電子ペーパ５５の文字記憶手段５５−２では、上記領域６０に対応する文字データ（図２６（ｂ）の領域Ｍ６０）が削除され、連続する文字データ（図２６（ｂ）の領域Ｍ７２）が他の電子ペーパより追加される。
【０１６２】
上記電子ペーパ５６における文字記憶手段５６−２でも、削除された領域（図２６（ｂ）の領域Ｍ７２）に対して上記と同様の処理が行われ、複数の電子ペーパ上の文字記憶手段が更新されることになる。さらに、上記画像データについても同様の処理を行うことで画像データを移動することが可能である。
【０１６３】
上記各々の文字記憶手段４２及び画像記憶手段４３の内容が更新されると、上記表示発光制御手段２３は、当該文字記憶手段の内容を表示に反映させるため、上述した表示用ドライバ１２２にそれぞれの文字記憶手段４２及び画像記憶手段４３の内容を位置データと共に送信する。
【０１６４】
以上で、削除した領域６０に後続の文字データ及び画像データを移動することが可能であるとともに、複数ページにわたって処理を行うことができる。このようにすれば、処理を容易にすることが可能である。例えば、本体１０２に上記文字記憶手段４２及び画像記憶手段４３を設け、これら記憶手段に、上記移動（編集）処理を行った後に電子ペーパ上の表示を更新するようにすることで、電子ペーパ毎に独立した記憶手段に対して移動処理をする必要がなくなる。
【０１６５】
また、メモリカード４１に対して直接編集をした場合も同様に処理を容易にすることができる。但し、この場合は、電子ペーパを取り外したときに、当該電子ペーパ毎に独立した記憶手段を持たないために文字データ及び画像データが失われてしまうことになる。
【０１６６】
尚、上記文字データの削除と画像データの削除とを独立して行う（即ち、別々の削除機能として提供する）ことにより、文字データのみ又は画像データのみを削除するといったことも可能である。
【０１６７】
続いて、図２５、図２７（ａ）、図２７（ｂ）、図２８（ａ）、図２８（ｂ）を参照しながら、上記電子ペーパ１０１上での文字データ及び画像データの移動（編集）処理について説明する。
【０１６８】
図２７（ａ）も、上記電子ペーパファイル１００を簡易的に表したものであり、この電子ペーパファイル１００も、３枚の上記電子ペーパ５４〜５６を備えている。また、ここでも、上記削除処理の場合と同様、連続したページに対応する文字データ及び画像データがそれぞれの表示部に表示されているものとする。さらに、電子ペーパ５５の最後尾には、文字データ及び画像データについてのページめくりを示す改ページコード７９が挿入されているものとする。尚、図２７（ｂ）は、図２７（ａ）における文字記憶手段５６−２の内部のイメージ図である。
【０１６９】
まずユーザは、文字データを移動しようとする領域８０を指定する。この指定は、上記削除処理の場合と同様、当該領域８０の左上の端点８１と領域８０の右下の端点８２とを押下することで行われ、これによって、上記端点８１及び端点８２の画素の位置データが表示発光制御手段２３に送信されるようになっている。
【０１７０】
さて、上記表示発光制御手段２３は、上記領域８０を認識すると、当該領域８０に対応する文字記憶手段５５−２を参照することによって、上記領域８０に含まれる文字データを得る。
【０１７１】
続いて、ユーザが例えば上記電子ペーパ５５上に表示される編集メニューより「移動」を選択すると、上記表示発光制御手段２３を構成する編集手段６５は、当該領域８０に対応する文字データを上記文字記憶手段５５−２より削除する。但し、この文字データは、上記文字記憶手段５５−２からは削除されるが、図示しない作業メモリに一旦保存される。この作業メモリとしては、例えば本体１０２や電子ペーパ１０１に設けられたものを用いてもよいし、上記文字記憶手段５４−２〜５６−２や画像記憶手段５４−３〜５６−３内で空いている領域を選択して使用してもよい。
【０１７２】
以上により、文字記憶手段５５−２内の領域８０に対応する文字データは削除されるが、この削除後に、削除した領域８０を空白のままにする場合と、削除した領域８０に後続の文字データ及び画像データを移動する場合とがあるのは上述した削除処理と同様である。ここでは、ユーザが上記２つの場合を選択可能とし、当該選択された内容に従って、上述した削除処理と同様の処理を行う。
【０１７３】
以上により、上記領域８０に対応する文字データは文字記憶手段５５−２より削除され、作業メモリに一旦保存される。
【０１７４】
続いて、ユーザが希望する移動先の位置を上記筆記具等を用いて指定する。このように指定された位置は、上記同様透明シート４４より表示発光制御手段２３に送信されるようになっている。
【０１７５】
次に、ユーザが例えばメニューから「貼り付け」を選択すると、上記編集手段６５は、上記作業メモリに保存されている上記領域８０に対応する文字データを読み出し、上記筆記具等を用いて指定された位置（領域）に対応する文字記憶手段（ここでは５６−２とする）に張り付ける。この張り付け時の文字記憶手段５６−２のイメージ図が図２７（ｂ）である。
【０１７６】
張り付け前の、所定の領域に対応する文字データＭ７２及びＭ７３に対して、当該領域８０に対応する文字データＭ８０が当該文字記憶手段５６−２の先頭部に挿入された場合、上記文字データＭ７２の上部に上記文字データＭ８０が挿入され、これによって、上記文字データＭ７２は上記文字データＭ８０の下部に位置する。また、上記文字データ８０と等量である文字データＭ７３は、文字記憶手段５６−２から削除される。但し、例えば続きのページを表示する電子ペーパが有れば、上記同様、当該電子ペーパの文字記憶領域の先頭部に上記文字データＭ７３を移動させることになる。
【０１７７】
上記文字データに対応する処理と同様の処理が画像データに対しても行われ、文字データ及び画像データの各記憶手段上での移動の処理が完了する。そして、このように各記憶手段上での移動の処理が完了すると、上記編集手段６５はその旨を上記表示発光制御手段２３に送信する。
【０１７８】
続いて、上記表示発光制御手段２３は、当該各記憶手段に記憶されている表示用データに所定の処理を行い、上述したように表示用ビットデータとして表示用ドライバ１２２に送信する。以後、上記本体信号授受手段１０４から画像データを受信した場合と同様に電子ペーパ上に表示を行う。但し、上記削除処理や移動処理をメモリカード４１に反映させるか否かはユーザが決定できるものとする。
【０１７９】
以上の処理により、以下に示すような２通りの領域の移動が可能である。即ち、移動元である領域８０の表示を空白のままにする場合には、図２８（ａ）に示すように、電子ペーパ５５の領域７１の位置は保たれたまま、電子ペーパ５６の上部に領域８０の表示が移動し、当該電子ペーパ５６の上部にあった領域７２は、上記領域８０の下部に移動することになる。
【０１８０】
また、移動元である領域８０に後続の文字データ及び画像データを移動する場合には、図２８（ｂ）に示すように、電子ペーパ５５の領域７１は領域７０の直下に位置し、最後尾の改ページコード７９にて改ページされる。また、電子ペーパ５６の上部に領域８０の表示が移動し、当該電子ペーパ５６の上部にあった領域７２は、上記領域８０の下部に移動することになる。
【０１８１】
尚、上記移動処理における移動元の表示用データを削除せずに移動することで、所定領域のデータのコピーが可能となるのは言うまでもない。
【０１８２】
ここで、上記電子ペーパがそれぞれ全く異なる表示用データを表示可能である場合、例えば、一つの本体に接続された電子ペーパＡが１ページ目を表示し、電子ペーパＢが１００ページ目を表示するといった機能を備えている場合には、移動元の表示用データと移動先の表示用データとを物理的に異なるページに表示することにより、移動を容易に行うことが可能である。さらに、上記電子ペーパを両面表示可能とすることで、例えば見開きの左右ページに移動元と移動先の表示用データを表示することが可能となり、さらに一層移動が容易になる。尚、上記両面表示は、２枚の電子ペーパの裏面を相互に張り合わせることで実現することができる。
【０１８３】
以上のように、本実施の形態によると、所定の電子ペーパ上の表示内容に対して直接入力・削除・移動等の編集をすることが可能となり、さらに、この編集に基づいて別ページの内容も自動的に変更することが可能になる。これによって、ノートに書き込むという慣れ親しんだ視覚及び感覚を保ったままの編集が可能となるのはいうまでもない。
【０１８４】
また、複数の電子ペーパ（例えば連続したページや見開きのページ）に、編集元及び編集先のページを表示することで、一層編集を容易にすることを可能としている。
【０１８５】
なお、本実施の形態では、可動軸片５０が回転する構成については特に言及していないが、このような回転構成を採用した場合にも、本実施の形態で説明した編集機能を実現できることはいうまでもない。
【図面の簡単な説明】
【図１】  本発明にかかる電子ペーパの概略図
【図２】  ページ指定手段を示す図
【図３】  電子ペーパの表示部のデバイス構成図
【図４】  ページ番号の指定動作を示すフローチャート
【図５】  改ページボタン押下後に表示される表示内容を示した図
【図６】  所定の電子ペーパに所定の表示用データを表示した状態を示す図
【図７】  所定の電子ペーパに所定の表示用データを表示する動作を示すフローチャート
【図８】  電子ペーパにページ指定手段が備えられた状態を示す図
【図９】  電子ペーパと本体が物理的に離れている状態を示す図
【図１０】  本体側の接続端子が本体に固定されている状態を示す図
【図１１】  接続順序識別番号を付与する動作を示すフローチャート
【図１２】  本体側の接続端子における電子ペーパの着脱状態を検知する方法の説明図
【図１３】  本体側の接続端子における電子ペーパの着脱状態を検知する方法の説明図
【図１４】  本体側の接続端子における電子ペーパの着脱状態を検知する方法の説明図
【図１５】  回転型構造を採用した本体の外観図
【図１６】  本体の接続端子の位置を検出する方法を示した図
【図１７】  接続体内にフォトカプラを配設したことを示す図
【図１８】  接続順序識別番号を付与する動作を示すフローチャート
【図１９】  中間固定片を用いたことを示す図
【図２０】  中間固定片に素子固定軸を配設した図
【図２１】  本体の接続端子の位置を検出する方法の説明図
【図２２】  本体側の接続端子が縦方向に対して異なる位置に設けられたことを示す図
【図２３】  電子ペーパ側の接続端子の形状を示す図
【図２４】  本体側の接続端子の形状を示す図
【図２５】  本発明に係る電子ペーパファイルの概略を示すブロック図
【図２６】  本発明に係る電子ペーパファイルの編集（削除）処理を示す図
【図２７】  本発明に係る電子ペーパファイルの編集（移動）処理を示す図
【図２８】  本発明に係る電子ペーパファイルの移動例を示す図
【図２９】  電子ペーパファイルの概略構造を示す図
【図３０】  筆記具及び透明シートを用いた電子ペーパ編集作業時のイメージ図
【符号の説明】
３０  着脱検知手段
３６  位置検知手段
４０  リード
４１  挟み板
４２  導出リード
５０  可動軸片
５２  接続体
１００  電子ペーパファイル
１０１  電子ペーパ
１０２  本体
１０４  本体信号授受手段
１０４ｂ，ｃ，ｄ  信号授受手段
１０５  第一の記憶手段
１０５ｂ，ｃ，ｄ  第二の記憶手段
１０６  第一の表示制御手段
１０６ｂ，ｃ，ｄ  第二の表示制御手段
１０７  ページ表示手段
１０８  ページ指定手段
１０９  電子ペーパ検知手段
１１０  番号付与手段
３０２  改ページボタン
３０３  ページ認識手段
【図１】
0003999958.tif 000002
【図２】
0003999958.tif 000003
【図３】
0003999958.tif 000004
【図４】
0003999958.tif 000005
【図５】
0003999958.tif 000006
【図６】
0003999958.tif 000007
【図７】
0003999958.tif 000008
【図８】
0003999958.tif 000009
【図９】
0003999958.tif 000010
【図１０】
0003999958.tif 000011
【図１１】
0003999958.tif 000012
【図１２】
0003999958.tif 000013
【図１３】
0003999958.tif 000014
【図１４】
0003999958.tif 000015
【図１５】
0003999958.tif 000016
【図１６】
0003999958.tif 000017
【図１７】
0003999958.tif 000018
【図１８】
0003999958.tif 000019
【図１９】
0003999958.tif 000020
【図２０】
0003999958.tif 000021
【図２１】
0003999958.tif 000022
【図２２】
0003999958.tif 000023
【図２３】
0003999958.tif 000024
【図２４】
0003999958.tif 000025
【図２５】
0003999958.tif 000026
【図２６】
0003999958.tif 000027
【図２７】
0003999958.tif 000028
【図２８】
0003999958.tif 000029
【図２９】
0003999958.tif 000030
【図３０】
0003999958.tif 000031